(57)【要約】      （修正有）【課題】実装性及び高周波特性がともに優れた積層型コイル部品を提供する。【解決手段】積層型コイル部品１において、第１の主面１３は、実装面であり、積層体１０の積層方向と、コイルのコイル軸方向と、は、第１の主面１３と平行であり、第１の外部電極２１は、第１の端面１１の一部を覆う第１の電極部分２１ａと、第１の電極部分２１ａから延伸して第１の主面１３の一部を覆う第２の電極部分２１ｂと、第１の電極部分２１ａ及び第２の電極部分２１ｂから延伸して第１の側面１５の一部を覆う第３の電極部分２１ｃと、を有する。幅方向から平面視したとき、第３の電極部分２１ｃは、第１の電極部分２１ａ及び第３の電極部分２１ｃが交わる第１の稜線５１と、第２の電極部分２１ｂ及び第３の電極部分２１ｃが交わる第２の稜線５２とが交わる頂点に向かって凹状である。【選択図】図４
2020194804.tif 000002
【特許請求の範囲】
【請求項１】
複数の絶縁層が長さ方向に積層されてなり、内部にコイルを内蔵する積層体と、
前記コイルに電気的に接続される第１の外部電極及び第２の外部電極と、を備え、
前記コイルは、前記絶縁層とともに前記長さ方向に積層された複数のコイル導体が電気的に接続されてなり、
前記積層体は、前記長さ方向において相対する第１の端面及び第２の端面と、前記長さ方向と直交する高さ方向において相対する第１の主面及び第２の主面と、前記長さ方向及び前記高さ方向に直交する幅方向において相対する第１の側面及び第２の側面と、を有し、
前記第１の主面は、実装面であり、
前記積層体の積層方向と前記コイルのコイル軸方向とは、前記第１の主面と平行であり、
前記第１の外部電極は、前記第１の端面の一部を覆う第１の電極部分と、前記第１の電極部分から延伸して前記第１の主面の一部を覆う第２の電極部分と、前記第１の電極部分及び前記第２の電極部分から延伸して前記第１の側面の一部を覆う第３の電極部分と、を有し、
前記幅方向から平面視したとき、前記第３の電極部分は、前記第１の電極部分及び前記第３の電極部分が交わる第１の稜線と前記第２の電極部分及び前記第３の電極部分が交わる第２の稜線とが交わる頂点に向かって凹状である、ことを特徴とする積層型コイル部品。
【請求項２】
前記幅方向から平面視したとき、前記第３の電極部分における、前記頂点と、前記第１の稜線上の前記頂点とは異なる第１の端点と、前記第２の稜線上の前記頂点とは異なる第２の端点と、を互いに直線で結んでなる三角形を定義すると、前記第３の電極部分の面積は、前記三角形の面積の２０％以上、８０％以下である、請求項１に記載の積層型コイル部品。
【請求項３】
前記積層方向における前記コイル導体の配置領域の寸法は、前記積層体の長さ寸法の８５％以上、９５％以下である、請求項１又は２に記載の積層型コイル部品。
【請求項４】
前記幅方向から平面視したとき、前記第３の電極部分の前記第２の稜線上の寸法は、４０μｍ以上、１４５μｍ以下である、請求項１〜３のいずれかに記載の積層型コイル部品。
【請求項５】
前記コイル導体の積層数は、５０以上であり、
前記幅方向から平面視したとき、前記第３の電極部分と重なる前記コイル導体の積層数は、１０以下である、請求項１〜４のいずれかに記載の積層型コイル部品。
【請求項６】
前記コイルの１ターンを構成するための前記コイル導体の積層数は２である、請求項１〜５のいずれかに記載の積層型コイル部品。
【請求項７】
前記第２の外部電極は、前記第２の端面の一部を覆う第４の電極部分と、前記第４の電極部分から延伸して前記第１の主面の一部を覆う第５の電極部分と、前記第４の電極部分及び前記第５の電極部分から延伸して前記第１の側面の一部を覆う第６の電極部分と、を有し、
前記コイル導体は、ライン部と、前記ライン部の端部に配置されるランド部と、を有し、
前記積層方向に隣り合う前記コイル導体の前記ランド部は、ビア導体を介して互いに接続され、
前記幅方向から平面視したとき、前記ランド部は、前記積層体において、前記第１の主面とは反対側の上半分の領域に存在する、請求項１〜６のいずれかに記載の積層型コイル部品。
【発明の詳細な説明】
【技術分野】
【０００１】
本発明は、積層型コイル部品に関する。
【背景技術】
【０００２】
積層型コイル部品として、例えば、特許文献１では、コイル導体を電気的に接続して構成したコイルの軸方向が実装面に対して平行であり、かつ、コイル導体及び絶縁性部材からなる積層体の積み重ね方向が実装面に対して平行である、積層型インダクタが開示されている。
【先行技術文献】
【特許文献】
【０００３】
【特許文献１】特開平９−１２９４４７号公報
【発明の概要】
【発明が解決しようとする課題】
【０００４】
特許文献１に記載の積層型インダクタにおいては、外部電極が積層体の端部に配置されており、コイルと外部電極との間の浮遊容量が小さい、とされている。しかしながら、特許文献１に記載の積層型インダクタにおいては、外部電極が実装面に配置されていないため、実装性が不充分であると考えられる。仮に、外部電極を実装面に配置して実装性を高めようとしても、外部電極を実装面に単に配置するだけでは、コイルと外部電極との間の浮遊容量が大きくなり、結果的に、高周波帯での高周波特性が低下するおそれがある。
【０００５】
本発明は、上記の問題を解決するためになされたものであり、実装性及び高周波特性がともに優れた積層型コイル部品を提供することを目的とするものである。
【課題を解決するための手段】
【０００６】
本発明の積層型コイル部品は、複数の絶縁層が長さ方向に積層されてなり、内部にコイルを内蔵する積層体と、上記コイルに電気的に接続される第１の外部電極及び第２の外部電極と、を備え、上記コイルは、上記絶縁層とともに上記長さ方向に積層された複数のコイル導体が電気的に接続されてなり、上記積層体は、上記長さ方向において相対する第１の端面及び第２の端面と、上記長さ方向と直交する高さ方向において相対する第１の主面及び第２の主面と、上記長さ方向及び上記高さ方向に直交する幅方向において相対する第１の側面及び第２の側面と、を有し、上記第１の主面は、実装面であり、上記積層体の積層方向と上記コイルのコイル軸方向とは、上記第１の主面と平行であり、上記第１の外部電極は、上記第１の端面の一部を覆う第１の電極部分と、上記第１の電極部分から延伸して上記第１の主面の一部を覆う第２の電極部分と、上記第１の電極部分及び上記第２の電極部分から延伸して上記第１の側面の一部を覆う第３の電極部分と、を有し、上記幅方向から平面視したとき、上記第３の電極部分は、上記第１の電極部分及び上記第３の電極部分が交わる第１の稜線と上記第２の電極部分及び上記第３の電極部分が交わる第２の稜線とが交わる頂点に向かって凹状である、ことを特徴とする。
【発明の効果】
【０００７】
本発明によれば、実装性及び高周波特性がともに優れた積層型コイル部品を提供できる。
【図面の簡単な説明】
【０００８】
【図１】本発明の積層型コイル部品の一例を示す斜視模式図である。
【図２】図１中の積層型コイル部品における第１の端面側からの平面模式図である。
【図３】図１中の積層型コイル部品における第１の主面側からの平面模式図である。
【図４】図１中の積層型コイル部品における第１の側面側からの平面模式図である。
【図５】図１中の積層型コイル部品における第２の側面側からの平面模式図である。
【図６】図１中の積層型コイル部品における第２の端面側からの平面模式図である。
【図７】図１中の積層型コイル部品の長さ方向に沿う断面模式図である。
【図８】図１中の積層型コイル部品を構成する積層体の一例を示す分解斜視模式図である。
【図９】図１中の積層型コイル部品を構成する積層体の一例を示す分解平面模式図である。
【図１０】図１中の積層型コイル部品を構成する積層体の別の一例を示す分解斜視模式図である。
【図１１】図１中の積層型コイル部品を構成する積層体の別の一例を示す分解平面模式図である。
【発明を実施するための形態】
【０００９】
以下、本発明の積層型コイル部品について説明する。なお、本発明は、以下の構成に限定されるものではなく、本発明の要旨を逸脱しない範囲において適宜変更されてもよい。また、以下において記載する個々の好ましい構成を複数組み合わせたものもまた本発明である。
【００１０】
［積層型コイル部品］
図１は、本発明の積層型コイル部品の一例を示す斜視模式図である。図１に示すように、積層型コイル部品１は、積層体１０と、第１の外部電極２１と、第２の外部電極２２と、を有している。積層体１０の構成については後述するが、複数の絶縁層が積層されてなり、内部にコイルを内蔵している。第１の外部電極２１及び第２の外部電極２２は、各々、コイルに電気的に接続されている。
【００１１】
積層型コイル部品１及び積層体１０においては、長さ方向、高さ方向、及び、幅方向を、各々、図１中のｘ方向、ｙ方向、及び、ｚ方向とする。ここで、長さ方向（ｘ方向）と高さ方向（ｙ方向）と幅方向（ｚ方向）とは、互いに直交している。
【００１２】
積層体１０は、６面を有する略直方体状である。積層体１０は、長さ方向において相対する第１の端面１１及び第２の端面１２と、長さ方向と直交する高さ方向において相対する第１の主面１３及び第２の主面１４と、長さ方向及び高さ方向に直交する幅方向において相対する第１の側面１５及び第２の側面１６と、を有している。積層型コイル部品１を基板上に実装する場合、第１の主面１３が実装面となる。
【００１３】
積層体１０は、角部及び稜線に丸みが付けられていることが好ましい。積層体１０の角部は、積層体１０の３面が交わる部分である。積層体１０の稜線は、積層体１０の２面が交わる部分である。
【００１４】
図２は、図１中の積層型コイル部品における第１の端面側からの平面模式図である。図３は、図１中の積層型コイル部品における第１の主面側からの平面模式図である。図４は、図１中の積層型コイル部品における第１の側面側からの平面模式図である。図５は、図１中の積層型コイル部品における第２の側面側からの平面模式図である。図６は、図１中の積層型コイル部品における第２の端面側からの平面模式図である。
【００１５】
図２、図３、及び、図４に示すように、第１の外部電極２１は、第１の電極部分２１ａと、第２の電極部分２１ｂと、第３の電極部分２１ｃと、を有している。
【００１６】
図２に示すように、第１の電極部分２１ａは、第１の端面１１の一部を覆っている。より具体的には、第１の電極部分２１ａは、第１の端面１１のうち、第１の主面１３と交わる稜線を含む領域を覆っており、第２の主面１４と交わる稜線を含む領域を覆っていない。そのため、第１の端面１１は、第２の主面１４と交わる稜線を含む領域で露出している。
【００１７】
図２では、第１の電極部分２１ａの高さ寸法（高さ方向における寸法）Ｅ２は一定であるが、一定でなくてもよい。例えば、長さ方向から平面視したとき、第１の電極部分２１ａは、高さ寸法Ｅ２が幅方向における端部から中央部に向かうにつれて大きくなる山なり形状であってもよい。
【００１８】
図３に示すように、第２の電極部分２１ｂは、第１の電極部分２１ａから延伸して第１の主面１３の一部を覆っている。より具体的には、第２の電極部分２１ｂは、第１の主面１３のうち、第１の端面１１と交わる稜線を含む領域を覆っており、第２の端面１２と交わる稜線を含む領域を覆っていない。
【００１９】
図３では、第２の電極部分２１ｂの長さ寸法（長さ方向における寸法）Ｅ１は一定であるが、一定でなくてもよい。例えば、高さ方向から平面視したとき、第２の電極部分２１ｂは、長さ寸法Ｅ１が幅方向における端部から中央部に向かうにつれて大きくなる山なり形状であってもよい。
【００２０】
図４に示すように、第３の電極部分２１ｃは、第１の電極部分２１ａ及び第２の電極部分２１ｂから延伸して第１の側面１５の一部を覆っている。より具体的には、第３の電極部分２１ｃは、第１の側面１５のうち、第１の端面１１及び第１の主面１３と交わる頂点を含む領域を覆っており、第１の端面１１及び第２の主面１４と交わる頂点を含む領域を覆っていない。
【００２１】
以上のように、第１の外部電極２１は、実装面である第１の主面１３の一部に加えて、第１の側面１５の一部も覆うように配置されているため、積層型コイル部品１の実装性が向上する。なお、第１の外部電極２１は、第２の主面１４を覆っていない。
【００２２】
幅方向から平面視したとき、第３の電極部分２１ｃは、第１の電極部分２１ａ及び第３の電極部分２１ｃが交わる第１の稜線５１と第２の電極部分２１ｂ及び第３の電極部分２１ｃが交わる第２の稜線５２とが交わる頂点Ｐ１に向かって凹状である。これにより、第１の外部電極２１において、第１の側面１５の一部を覆う第３の電極部分２１ｃの面積が小さくなる。その結果、積層体１０に内蔵されるコイルと第１の外部電極２１（第３の電極部分２１ｃ）との間の浮遊容量が小さくなるため、積層型コイル部品１の高周波特性が向上する。
【００２３】
よって、積層型コイル部品１は、実装性及び高周波特性がともに優れている。高周波帯（特に、３０ＧＨｚ以上、８０ＧＨｚ以下）での高周波特性については、４０ＧＨｚでの透過係数Ｓ２１が、好ましくは、−１ｄＢ以上、０ｄＢ以下であり、５０ＧＨｚでの透過係数Ｓ２１が、好ましくは、−２ｄＢ以上、０ｄＢ以下である。積層型コイル部品１が上記条件を満たす場合、例えば、光通信回路内のバイアスティー（Ｂｉａｓ−Ｔｅｅ）回路等に好適に使用できる。透過係数Ｓ２１は、入力信号に対する透過信号の電力の比から求められる。周波数毎の透過係数Ｓ２１は、例えば、ネットワークアナライザを用いて求められる。透過係数Ｓ２１は、基本的に無次元量であるが、通常、常用対数をとってｄＢ単位で表される。
【００２４】
幅方向から平面視したとき、第３の電極部分２１ｃにおける、頂点Ｐ１と、第１の稜線５１上の頂点Ｐ１とは異なる第１の端点Ｑ１と、第２の稜線５２上の頂点Ｐ１とは異なる第２の端点Ｒ１と、を互いに直線（図４中の点線）で結んでなる三角形Ｐ１Ｑ１Ｒ１を定義すると、第３の電極部分２１ｃの面積は、好ましくは、三角形Ｐ１Ｑ１Ｒ１の面積の２０％以上、８０％以下である。第３の電極部分２１ｃの面積が三角形Ｐ１Ｑ１Ｒ１の面積の２０％よりも小さい場合、実装時に関与する第３の電極部分２１ｃの面積が小さくなるため、積層型コイル部品１の実装性が向上しにくいことがある。第３の電極部分２１ｃの面積が三角形Ｐ１Ｑ１Ｒ１の面積の８０％よりも大きい場合、積層体１０に内蔵されるコイルと第１の外部電極２１（第３の電極部分２１ｃ）との間の浮遊容量が大きくなるため、積層型コイル部品１の高周波特性が低下することがある。
【００２５】
幅方向から平面視したとき、第３の電極部分２１ｃが頂点Ｐ１に向かって凹状であるとは、第３の電極部分２１ｃにおける第１の端点Ｑ１及び第２の端点Ｒ１を結ぶ輪郭線が、第１の端点Ｑ１及び第２の端点Ｒ１を結ぶ直線（図４中の点線）よりも、第１の端点Ｑ１及び第２の端点Ｒ１を除いた部分で頂点Ｐ１側に位置している、ことを意味する。
【００２６】
幅方向から平面視したとき、第３の電極部分２１ｃにおける第１の端点Ｑ１及び第２の端点Ｒ１を結ぶ輪郭線は、図４に示すような弧状であることが好ましい。
【００２７】
幅方向から平面視したとき、第３の電極部分２１ｃの第２の稜線５２上の寸法Ｅ３は、好ましくは、４０μｍ以上、１４５μｍ以下である。第３の電極部分２１ｃの第２の稜線５２上の寸法Ｅ３が４０μｍよりも小さい場合、実装時に関与する第３の電極部分２１ｃの面積が小さくなるため、積層型コイル部品１の実装性が向上しにくいことがある。第３の電極部分２１ｃの第２の稜線５２上の寸法Ｅ３が１４５μｍよりも大きい場合、積層体１０に内蔵されるコイルと第１の外部電極２１（第３の電極部分２１ｃ）との間の浮遊容量が大きくなるため、積層型コイル部品１の高周波特性が低下することがある。なお、図３及び図４では、第３の電極部分２１ｃの第２の稜線５２上の寸法Ｅ３と第２の電極部分２１ｂの長さ寸法Ｅ１とが同じである状態が例示されている。
【００２８】
図５に示すように、第３の電極部分２１ｃは、第１の電極部分２１ａ及び第２の電極部分２１ｂから延伸して第２の側面１６の一部を覆っていてもよい。より具体的には、第３の電極部分２１ｃは、第２の側面１６のうち、第１の端面１１及び第１の主面１３と交わる頂点を含む領域を覆っており、第１の端面１１及び第２の主面１４と交わる頂点を含む領域を覆っていなくてもよい。
【００２９】
第２の側面１６の一部を覆う第３の電極部分２１ｃについても、幅方向から平面視したとき、第１の側面１５の一部を覆う第３の電極部分２１ｃと同様な形状（凹状）であってもよい。この場合、第１の外部電極２１は、実装面である第１の主面１３の一部と第１の側面１５の一部とに加えて、第２の側面１６の一部も覆うように配置されているため、積層型コイル部品１の実装性がより向上する。更に、第１の外部電極２１において、第１の側面１５の一部を覆う第３の電極部分２１ｃと同様に、第２の側面１６の一部を覆う第３の電極部分２１ｃの面積が小さくなる。その結果、積層体１０に内蔵されるコイルと第１の外部電極２１（２つの第３の電極部分２１ｃ）との間の浮遊容量が充分小さくなるため、積層型コイル部品１の高周波特性がより向上する。
【００３０】
これまで、第１の外部電極２１の構成について説明したが、以下のように、第２の外部電極２２の構成も第１の外部電極２１の構成と同様であってもよい。より具体的には、図３、図４、及び、図６に示すように、第２の外部電極２２は、第４の電極部分２２ａと、第５の電極部分２２ｂと、第６の電極部分２２ｃと、を有していてもよい。
【００３１】
図６に示すように、第４の電極部分２２ａは、第２の端面１２の一部を覆っていてもよい。より具体的には、第４の電極部分２２ａは、第２の端面１２のうち、第１の主面１３と交わる稜線を含む領域を覆っており、第２の主面１４と交わる稜線を含む領域を覆っていなくてもよい。そのため、第２の端面１２は、第２の主面１４と交わる稜線を含む領域で露出していてもよい。
【００３２】
図６では、第４の電極部分２２ａの高さ寸法（高さ方向における寸法）Ｅ５は一定であるが、一定でなくてもよい。例えば、長さ方向から平面視したとき、第４の電極部分２２ａは、高さ寸法Ｅ５が幅方向における端部から中央部に向かうにつれて大きくなる山なり形状であってもよい。
【００３３】
図３に示すように、第５の電極部分２２ｂは、第４の電極部分２２ａから延伸して第１の主面１３の一部を覆っていてもよい。より具体的には、第５の電極部分２２ｂは、第１の主面１３のうち、第２の端面１２と交わる稜線を含む領域を覆っており、第１の端面１１と交わる稜線を含む領域を覆っていなくてもよい。
【００３４】
図３では、第５の電極部分２２ｂの長さ寸法（長さ方向における寸法）Ｅ４は一定であるが、一定でなくてもよい。例えば、高さ方向から平面視したとき、第５の電極部分２２ｂは、長さ寸法Ｅ４が幅方向における端部から中央部に向かうにつれて大きくなる山なり形状であってもよい。
【００３５】
図４に示すように、第６の電極部分２２ｃは、第４の電極部分２２ａ及び第５の電極部分２２ｂから延伸して第１の側面１５の一部を覆っていてもよい。より具体的には、第６の電極部分２２ｃは、第１の側面１５のうち、第２の端面１２及び第１の主面１３と交わる頂点を含む領域を覆っており、第２の端面１２及び第２の主面１４と交わる頂点を含む領域を覆っていなくてもよい。
【００３６】
以上のように、第２の外部電極２２が、実装面である第１の主面１３の一部に加えて、第１の側面１５の一部も覆うように配置されていると、積層型コイル部品１の実装性が向上する。なお、第２の外部電極２２は、第２の主面１４を覆っていなくてもよい。
【００３７】
幅方向から平面視したとき、第６の電極部分２２ｃは、第４の電極部分２２ａ及び第６の電極部分２２ｃが交わる第３の稜線５３と第５の電極部分２２ｂ及び第６の電極部分２２ｃが交わる第４の稜線５４とが交わる頂点Ｐ２に向かって凹状であってもよい。これにより、第２の外部電極２２において、第１の側面１５の一部を覆う第６の電極部分２２ｃの面積が小さくなる。その結果、積層体１０に内蔵されるコイルと第２の外部電極２２（第６の電極部分２２ｃ）との間の浮遊容量が小さくなり、積層型コイル部品１の高周波特性が向上する。
【００３８】
幅方向から平面視したとき、第６の電極部分２２ｃにおける、頂点Ｐ２と、第３の稜線５３上の頂点Ｐ２とは異なる第３の端点Ｑ２と、第４の稜線５４上の頂点Ｐ２とは異なる第４の端点Ｒ２と、を互いに直線（図４中の点線）で結んでなる三角形Ｐ２Ｑ２Ｒ２を定義すると、第６の電極部分２２ｃの面積は、好ましくは、三角形Ｐ２Ｑ２Ｒ２の面積の２０％以上、８０％以下である。第６の電極部分２２ｃの面積が三角形Ｐ２Ｑ２Ｒ２の面積の２０％よりも小さい場合、実装時に関与する第６の電極部分２２ｃの面積が小さくなるため、積層型コイル部品１の実装性が向上しにくいことがある。第６の電極部分２２ｃの面積が三角形Ｐ２Ｑ２Ｒ２の面積の８０％よりも大きい場合、積層体１０に内蔵されるコイルと第２の外部電極２２（第６の電極部分２２ｃ）との間の浮遊容量が大きくなるため、積層型コイル部品１の高周波特性が低下することがある。
【００３９】
幅方向から平面視したとき、第６の電極部分２２ｃが頂点Ｐ２に向かって凹状であるとは、第６の電極部分２２ｃにおける第３の端点Ｑ２及び第４の端点Ｒ２を結ぶ輪郭線が、第３の端点Ｑ２及び第４の端点Ｒ２を結ぶ直線（図４中の点線）よりも、第３の端点Ｑ２及び第４の端点Ｒ２を除いた部分で頂点Ｐ２側に位置している、ことを意味する。
【００４０】
幅方向から平面視したとき、第６の電極部分２２ｃにおける第３の端点Ｑ２及び第４の端点Ｒ２を結ぶ輪郭線は、図４に示すような弧状であることが好ましい。
【００４１】
幅方向から平面視したとき、第６の電極部分２２ｃの第４の稜線５４上の寸法Ｅ６は、好ましくは、４０μｍ以上、１４５μｍ以下である。第６の電極部分２２ｃの第４の稜線５４上の寸法Ｅ６が４０μｍよりも小さい場合、実装時に関与する第６の電極部分２２ｃの面積が小さくなるため、積層型コイル部品１の実装性が向上しにくいことがある。第６の電極部分２２ｃの第４の稜線５４上の寸法Ｅ６が１４５μｍよりも大きい場合、積層体１０に内蔵されるコイルと第２の外部電極２２（第６の電極部分２２ｃ）との間の浮遊容量が大きくなるため、積層型コイル部品１の高周波特性が低下することがある。なお、図３及び図４では、第６の電極部分２２ｃの第４の稜線５４上の寸法Ｅ６と第５の電極部分２２ｂの長さ寸法Ｅ４とが同じである状態が例示されている。
【００４２】
図５に示すように、第６の電極部分２２ｃは、第４の電極部分２２ａ及び第５の電極部分２２ｂから延伸して第２の側面１６の一部を覆っていてもよい。より具体的には、第６の電極部分２２ｃは、第２の側面１６のうち、第２の端面１２及び第１の主面１３と交わる頂点を含む領域を覆っており、第２の端面１２及び第２の主面１４と交わる頂点を含む領域を覆っていなくてもよい。
【００４３】
第２の側面１６の一部を覆う第６の電極部分２２ｃについても、幅方向から平面視したとき、第１の側面１５の一部を覆う第６の電極部分２２ｃと同様な形状（凹状）であってもよい。この場合、第２の外部電極２２は、実装面である第１の主面１３の一部と第１の側面１５の一部とに加えて、第２の側面１６の一部も覆うように配置されているため、積層型コイル部品１の実装性がより向上する。更に、第２の外部電極２２において、第１の側面１５の一部を覆う第６の電極部分２２ｃと同様に、第２の側面１６の一部を覆う第６の電極部分２２ｃの面積が小さくなる。その結果、積層体１０に内蔵されるコイルと第２の外部電極２２（２つの第６の電極部分２２ｃ）との間の浮遊容量が充分小さくなり、積層型コイル部品１の高周波特性がより向上する。
【００４４】
第２の外部電極２２の構成は、第１の外部電極２１の構成と異なっていてもよい。例えば、幅方向から平面視したとき、第２の外部電極２２の第６の電極部分２２ｃは、頂点Ｐ２に向かって凹状でなくてもよい。また、第２の外部電極２２は、第１の側面１５の一部及び第２の側面１６の一部を覆って配置されていなくてもよい。
【００４５】
積層型コイル部品１、積層体１０、第１の外部電極２１、及び、第２の外部電極２２の好ましい寸法について、以下に説明する。
【００４６】
積層型コイル部品１のサイズは、特に限定されないが、０６０３サイズ、０４０２サイズ、又は、１００５サイズであることが好ましい。
【００４７】
（１）積層型コイル部品１が０６０３サイズである場合
・積層型コイル部品１の長さ寸法Ｌ２（図４及び図５中の長さ方向における寸法）は、好ましくは０．５７ｍｍ以上である。また、積層型コイル部品１の長さ寸法Ｌ２は、好ましくは０．６３ｍｍ以下である。
・積層型コイル部品１の幅寸法Ｗ２（図３中の幅方向における寸法）は、好ましくは０．２７ｍｍ以上である。また、積層型コイル部品１の幅寸法Ｗ２は、好ましくは０．３３ｍｍ以下である。
・積層型コイル部品１の高さ寸法Ｔ２（図２中の高さ方向における寸法）は、好ましくは０．２７ｍｍ以上である。また、積層型コイル部品１の高さ寸法Ｔ２は、好ましくは０．３３ｍｍ以下である。
・積層体１０の長さ寸法Ｌ１（図４及び図５中の長さ方向における寸法）は、好ましくは０．５７ｍｍ以上である。また、積層体１０の長さ寸法Ｌ１は、好ましくは０．６３ｍｍ以下である。
・積層体１０の幅寸法Ｗ１（図３中の幅方向における寸法）は、好ましくは０．２７ｍｍ以上である。また、積層体１０の幅寸法Ｗ１は、好ましくは０．３３ｍｍ以下である。
・積層体１０の高さ寸法Ｔ１（図２中の高さ方向における寸法）は、好ましくは０．２７ｍｍ以上である。また、積層体１０の高さ寸法Ｔ１は、好ましくは０．３３ｍｍ以下である。
・第１の外部電極２１の第１の電極部分２１ａの高さ寸法Ｅ２は、好ましくは、０．１０ｍｍ以上、０．２０ｍｍ以下である。この場合、第１の外部電極２１に起因する浮遊容量が小さくなる。なお、高さ寸法Ｅ２が一定でない場合、最大の高さ寸法が上記範囲内であることが好ましい。
・第２の外部電極２２の第４の電極部分２２ａの高さ寸法（図６中の高さ方向における寸法）Ｅ５は、好ましくは、０．１０ｍｍ以上、０．２０ｍｍ以下である。この場合、第２の外部電極２２に起因する浮遊容量が小さくなる。なお、高さ寸法Ｅ５が一定でない場合、最大の高さ寸法が上記範囲内であることが好ましい。
【００４８】
（２）積層型コイル部品１が０４０２サイズである場合
・積層型コイル部品１の長さ寸法Ｌ２は、好ましくは０．３８ｍｍ以上である。また、積層型コイル部品１の長さ寸法Ｌ２は、好ましくは０．４２ｍｍ以下である。
・積層型コイル部品１の幅寸法Ｗ２は、好ましくは０．１８ｍｍ以上である。また、積層型コイル部品１の幅寸法Ｗ２は、好ましくは０．２２ｍｍ以下である。
・積層型コイル部品１の高さ寸法Ｔ２は、好ましくは０．１８ｍｍ以上である。また、積層型コイル部品１の高さ寸法Ｔ２は、好ましくは０．２２ｍｍ以下である。
・積層体１０の長さ寸法Ｌ１は、好ましくは、０．３８ｍｍ以上、０．４２ｍｍ以下である。
・積層体１０の幅寸法Ｗ１は、好ましくは、０．１８ｍｍ以上、０．２２ｍｍ以下である。
・積層体１０の高さ寸法Ｔ１は、好ましくは、０．１８ｍｍ以上、０．２２ｍｍ以下である。
・第１の外部電極２１の第１の電極部分２１ａの高さ寸法Ｅ２は、好ましくは、０．０６ｍｍ以上、０．１３ｍｍ以下である。この場合、第１の外部電極２１に起因する浮遊容量が小さくなる。なお、高さ寸法Ｅ２が一定でない場合、最大の高さ寸法が上記範囲内であることが好ましい。
・第２の外部電極２２の第４の電極部分２２ａの高さ寸法Ｅ５は、好ましくは、０．０６ｍｍ以上、０．１３ｍｍ以下である。この場合、第２の外部電極２２に起因する浮遊容量が小さくなる。なお、高さ寸法Ｅ５が一定でない場合、最大の高さ寸法が上記範囲内であることが好ましい。
【００４９】
（３）積層型コイル部品１が１００５サイズである場合
・積層型コイル部品１の長さ寸法Ｌ２は、好ましくは０．９５ｍｍ以上である。また、積層型コイル部品１の長さ寸法Ｌ２は、好ましくは１．０５ｍｍ以下である。
・積層型コイル部品１の幅寸法Ｗ２は、好ましくは０．４５ｍｍ以上である。また、積層型コイル部品１の幅寸法Ｗ２は、好ましくは０．５５ｍｍ以下である。
・積層型コイル部品１の高さ寸法Ｔ２は、好ましくは０．４５ｍｍ以上である。また、積層型コイル部品１の高さ寸法Ｔ２は、好ましくは０．５５ｍｍ以下である。
・積層体１０の長さ寸法Ｌ１は、好ましくは、０．９５ｍｍ以上、１．０５ｍｍ以下である。
・積層体１０の幅寸法Ｗ１は、好ましくは、０．４５ｍｍ以上、０．５５ｍｍ以下である。
・積層体１０の高さ寸法Ｔ１は、好ましくは、０．４５ｍｍ以上、０．５５ｍｍ以下である。
・第１の外部電極２１の第１の電極部分２１ａの高さ寸法Ｅ２は、好ましくは、０．１５ｍｍ以上、０．３３ｍｍ以下である。この場合、第１の外部電極２１に起因する浮遊容量が小さくなる。なお、高さ寸法Ｅ２が一定でない場合、最大の高さ寸法が上記範囲内であることが好ましい。
・第２の外部電極２２の第４の電極部分２２ａの高さ寸法Ｅ５は、好ましくは、０．１５ｍｍ以上、０．３３ｍｍ以下である。この場合、第２の外部電極２２に起因する浮遊容量が小さくなる。なお、高さ寸法Ｅ５が一定でない場合、最大の高さ寸法が上記範囲内であることが好ましい。
【００５０】
図７は、図１中の積層型コイル部品の長さ方向に沿う断面模式図である。図７に示すように、積層体１０は、複数の絶縁層３１、複数の絶縁層３５ａ、及び、複数の絶縁層３５ｂが長さ方向に積層されてなる。なお、図７では、説明の便宜上、これらの絶縁層間の境界が点線で示されているが、実際には明瞭に現れていなくてもよい。
【００５１】
積層体１０は、内部にコイル３０を内蔵している。コイル３０は、絶縁層３１とともに長さ方向に積層された複数のコイル導体３２が電気的に接続されてなる。より具体的には、コイル３０は、絶縁層３１間に各々配置された（一部は、絶縁層３１と絶縁層３５ａとの間、及び、絶縁層３１と絶縁層３５ｂとの間に配置された）複数のコイル導体３２が電気的に接続されてなる。
【００５２】
積層体１０の積層方向（絶縁層３１及びコイル導体３２の積層方向）は、長さ方向に相当する。なお、図７では、コイル３０の形状、コイル導体３２の位置、コイル導体３２の接続等が厳密に示されていない。例えば、積層方向に隣り合うコイル導体３２は、後述するように、ビア導体を介して互いに接続されている。
【００５３】
コイル３０は、コイル軸Ａを有している。コイル軸Ａは、積層方向に延伸し、かつ、第１の端面１１と第２の端面１２との間を貫通している。積層方向とコイル軸Ａの方向とは、実装面である第１の主面１３と平行である。
【００５４】
第１の外部電極２１とコイル３０とは、絶縁層３５ａを貫通する第１の連結導体４１を介して互いに接続されている。より具体的には、第１の外部電極２１とこれに対向するコイル導体３２とは、絶縁層３５ａを貫通する第１の連結導体４１を介して互いに接続されている。
【００５５】
第１の連結導体４１は、第１の外部電極２１とコイル３０との間を直線状に接続することが好ましい。また、積層方向から平面視したとき、第１の連結導体４１は、コイル導体３２と重なり、かつ、コイル軸Ａよりも実装面である第１の主面１３側に位置していることが好ましい。これらにより、第１の外部電極２１とコイル３０との電気的な接続が容易になる。
【００５６】
第１の連結導体４１は、複数配置されていてもよい。この場合、第１の外部電極２１（第１の電極部分２１ａ）とコイル３０（コイル導体３２）とが第１の連結導体４１を介して複数箇所で接続されることになる。
【００５７】
第２の外部電極２２とコイル３０とは、絶縁層３５ｂを貫通する第２の連結導体４２を介して互いに接続されている。より具体的には、第２の外部電極２２とこれに対向するコイル導体３２とは、絶縁層３５ｂを貫通する第２の連結導体４２を介して互いに接続されている。
【００５８】
第２の連結導体４２は、第２の外部電極２２とコイル３０との間を直線状に接続することが好ましい。また、積層方向から平面視したとき、第２の連結導体４２は、コイル導体３２と重なり、かつ、コイル軸Ａよりも実装面である第１の主面１３側に位置していることが好ましい。これらにより、第２の外部電極２２とコイル３０との電気的な接続が容易になる。
【００５９】
第２の連結導体４２は、複数配置されていてもよい。この場合、第２の外部電極２２（第４の電極部分２２ａ）とコイル３０（コイル導体３２）とが第２の連結導体４２を介して複数箇所で接続されることになる。
【００６０】
積層方向におけるコイル導体３２の配置領域の寸法Ｌ３は、積層体１０の長さ寸法Ｌ１の、好ましくは８５％以上、９５％以下であり、より好ましくは９０％以上、９５％以下である。ここで、積層方向におけるコイル導体３２の配置領域の寸法Ｌ３は、第１の連結導体４１を介して第１の外部電極２１と接続されるコイル導体３２から、第２の連結導体４２を介して第２の外部電極２２と接続されるコイル導体３２までの、積層方向における距離（各コイル導体３２の厚みを含む）である。コイル導体３２の配置領域の寸法Ｌ３が積層体１０の長さ寸法Ｌ１の８５％よりも小さい場合、コイル３０の静電容量が大きくなるため、積層型コイル部品１の高周波特性が低下することがある。コイル導体３２の配置領域の寸法Ｌ３が積層体１０の長さ寸法Ｌ１の９５％よりも大きい場合、コイル３０と第１の外部電極２１及び第２の外部電極２２との間の浮遊容量が大きくなるため、積層型コイル部品１の高周波特性が低下することがある。よって、積層型コイル部品１において、コイル導体３２の配置領域の寸法Ｌ３を上記範囲内とすると、第１の外部電極２１の第３の電極部分２１ｃの形状（凹状）による作用効果とも相まって、積層型コイル部品１の高周波特性がより向上する。
【００６１】
コイル導体３２の積層数は、５０以上であり、幅方向から平面視したとき、第１の側面１５の一部を覆う第３の電極部分２１ｃと重なるコイル導体３２の積層数は、１０以下であることが好ましい。積層型コイル部品１において、コイル導体３２が上記範囲を満たすように積層していると、第３の電極部分２１ｃの形状（凹状）による作用効果とも相まって、積層型コイル部品１の高周波特性がより向上する。なお、図７では、説明の便宜上、第１の側面１５の一部を覆う第３の電極部分２１ｃの輪郭の一部が点線で示されているが、実際には本断面に現れていない。
【００６２】
第３の電極部分２１ｃが第２の側面１６の一部を覆う場合、幅方向から平面視したとき、第２の側面１６の一部を覆う第３の電極部分２１ｃと重なるコイル導体３２の積層数は、１０以下であることが好ましい。
【００６３】
第２の外部電極２２が、第１の側面１５の一部を覆う第６の電極部分２２ｃを有する場合、幅方向から平面視したとき、第１の側面１５の一部を覆う第６の電極部分２２ｃと重なるコイル導体３２の積層数は、１０以下であることが好ましい。なお、図７では、説明の便宜上、第１の側面１５の一部を覆う第６の電極部分２２ｃの輪郭の一部が点線で示されているが、実際には本断面に現れていない。
【００６４】
第６の電極部分２２ｃが第２の側面１６の一部を覆う場合、幅方向から平面視したとき、第２の側面１６の一部を覆う第６の電極部分２２ｃと重なるコイル導体３２の積層数は、１０以下であることが好ましい。
【００６５】
積層方向に隣り合うコイル導体間の距離Ｄは、好ましくは、３μｍ以上、１０μｍ以下である。これにより、コイル３０のターン数を多くできる。その結果、インピーダンスが大きくなり、高周波帯での透過係数Ｓ２１も大きくなる。積層方向に隣り合うコイル導体間の距離Ｄは、後述するビア導体を介して互いに接続されているコイル導体間の積層方向における最短距離を意味する。よって、積層方向に隣り合うコイル導体間の距離Ｄと、浮遊容量の発生に関与するコイル導体間の距離とは、必ずしも一致しない。
【００６６】
図８は、図１中の積層型コイル部品を構成する積層体の一例を示す分解斜視模式図である。図９は、図１中の積層型コイル部品を構成する積層体の一例を示す分解平面模式図である。
【００６７】
図８及び図９に示すように、積層体１０は、図７中の絶縁層３１として、絶縁層３１ａと、絶縁層３１ｂと、絶縁層３１ｃと、絶縁層３１ｄと、を有している。積層体１０は、図７中の絶縁層３５ａとして、絶縁層３５ａ１と、絶縁層３５ａ２と、絶縁層３５ａ３と、絶縁層３５ａ４と、を有している。積層体１０は、図７中の絶縁層３５ｂとして、絶縁層３５ｂ１と、絶縁層３５ｂ２と、絶縁層３５ｂ３と、絶縁層３５ｂ４と、を有している。
【００６８】
コイル３０は、図７中のコイル導体３２として、コイル導体３２ａと、コイル導体３２ｂと、コイル導体３２ｃと、コイル導体３２ｄと、を有している。
【００６９】
コイル導体３２ａ、コイル導体３２ｂ、コイル導体３２ｃ、及び、コイル導体３２ｄは、各々、絶縁層３１ａ、絶縁層３１ｂ、絶縁層３１ｃ、及び、絶縁層３１ｄの主面上に配置されている。
【００７０】
コイル導体３２ａ、コイル導体３２ｂ、コイル導体３２ｃ、及び、コイル導体３２ｄの長さは、各々、コイル３０の３／４ターンの長さである。つまり、コイル３０の３ターンを構成するためのコイル導体の積層数は４である。積層体１０においては、コイル導体３２ａ、コイル導体３２ｂ、コイル導体３２ｃ、及び、コイル導体３２ｄが１つの単位（３ターン分）として繰り返し積層されている。
【００７１】
コイル導体３２ａは、ライン部３６ａと、ライン部３６ａの端部に配置されるランド部３７ａと、を有している。コイル導体３２ｂは、ライン部３６ｂと、ライン部３６ｂの端部に配置されるランド部３７ｂと、を有している。コイル導体３２ｃは、ライン部３６ｃと、ライン部３６ｃの端部に配置されるランド部３７ｃと、を有している。コイル導体３２ｄは、ライン部３６ｄと、ライン部３６ｄの端部に配置されるランド部３７ｄと、を有している。
【００７２】
絶縁層３１ａ、絶縁層３１ｂ、絶縁層３１ｃ、及び、絶縁層３１ｄには、各々、ビア導体３３ａ、ビア導体３３ｂ、ビア導体３３ｃ、及び、ビア導体３３ｄが積層方向に貫通するように配置されている。
【００７３】
コイル導体３２ａ及びビア導体３３ａ付きの絶縁層３１ａと、コイル導体３２ｂ及びビア導体３３ｂ付きの絶縁層３１ｂと、コイル導体３２ｃ及びビア導体３３ｃ付きの絶縁層３１ｃと、コイル導体３２ｄ及びビア導体３３ｄ付きの絶縁層３１ｄとは、１つの単位（図８及び図９中の点線で囲まれた部分）として繰り返し積層されている。これにより、コイル導体３２ａのランド部３７ａと、コイル導体３２ｂのランド部３７ｂと、コイル導体３２ｃのランド部３７ｃと、コイル導体３２ｄのランド部３７ｄとは、ビア導体３３ａ、ビア導体３３ｂ、ビア導体３３ｃ、及び、ビア導体３３ｄを介して接続される。つまり、積層方向に隣り合うコイル導体のランド部は、ビア導体を介して互いに接続される。
【００７４】
以上により、積層体１０に内蔵されるソレノイド状のコイル３０が構成される。
【００７５】
積層方向から平面視したとき、コイル導体３２ａ、コイル導体３２ｂ、コイル導体３２ｃ、及び、コイル導体３２ｄで構成されるコイル３０は、円形状であってもよいし、多角形状であってもよい。積層方向から平面視したとき、コイル３０が多角形状である場合、多角形の面積相当円の直径をコイル３０のコイル径とし、多角形の重心を通り積層方向に延伸する軸をコイル３０のコイル軸とする。
【００７６】
積層方向から平面視したとき、ランド部３７ａ、ランド部３７ｂ、ランド部３７ｃ、及び、ランド部３７ｄの径は、各々、図９に示すように、ライン部３６ａ、ライン部３６ｂ、ライン部３６ｃ、及び、ライン部３６ｄの線幅よりも大きいことが好ましい。
【００７７】
積層方向から平面視したとき、ランド部３７ａ、ランド部３７ｂ、ランド部３７ｃ、及び、ランド部３７ｄは、各々、図９に示すような円形状であってもよいし、多角形状であってもよい。積層方向から平面視したとき、ランド部３７ａ、ランド部３７ｂ、ランド部３７ｃ、及び、ランド部３７ｄが多角形状である場合、多角形の面積相当円の直径を各ランド部の径とする。
【００７８】
絶縁層３５ａ１、絶縁層３５ａ２、絶縁層３５ａ３、及び、絶縁層３５ａ４には、各々、ビア導体３３ｐが積層方向に貫通するように配置されている。絶縁層３５ａ１、絶縁層３５ａ２、絶縁層３５ａ３、及び、絶縁層３５ａ４の主面上には、ビア導体３３ｐに接続されるランド部が配置されていてもよい。
【００７９】
ビア導体３３ｐ付きの絶縁層３５ａ１と、ビア導体３３ｐ付きの絶縁層３５ａ２と、ビア導体３３ｐ付きの絶縁層３５ａ３と、ビア導体３３ｐ付きの絶縁層３５ａ４とは、コイル導体３２ａ及びビア導体３３ａ付きの絶縁層３１ａと重なるように積層されている。これにより、ビア導体３３ｐ同士がつながって第１の連結導体４１を構成し、第１の連結導体４１が第１の端面１１に露出する。その結果、第１の外部電極２１（第１の電極部分２１ａ）とコイル３０（コイル導体３２ａ）とが、第１の連結導体４１を介して互いに接続される。
【００８０】
第１の連結導体４１は、コイル導体３２ａにおける第１の主面１３に最も近い部分に接続されていることが好ましい。これにより、第１の外部電極２１の第１の電極部分２１ａの面積を充分小さくできる。その結果、コイル３０と第１の外部電極２１（第１の電極部分２１ａ）との間の浮遊容量が充分小さくなるため、積層型コイル部品１の高周波特性がより向上する。
【００８１】
第１の連結導体４１は、上述したように、第１の外部電極２１（第１の電極部分２１ａ）とコイル３０との間を直線状に接続することが好ましい。第１の連結導体４１が第１の外部電極２１とコイル３０との間を直線状に接続するとは、積層方向から平面視したとき、第１の連結導体４１を構成するビア導体３３ｐ同士が重なっていることを意味し、ビア導体３３ｐ同士は厳密に直線状に並んでいなくてもよい。
【００８２】
絶縁層３５ｂ１、絶縁層３５ｂ２、絶縁層３５ｂ３、及び、絶縁層３５ｂ４には、各々、ビア導体３３ｑが積層方向に貫通するように配置されている。絶縁層３５ｂ１、絶縁層３５ｂ２、絶縁層３５ｂ３、及び、絶縁層３５ｂ４の主面上には、ビア導体３３ｑに接続されるランド部が配置されていてもよい。
【００８３】
ビア導体３３ｑ付きの絶縁層３５ｂ１と、ビア導体３３ｑ付きの絶縁層３５ｂ２と、ビア導体３３ｑ付きの絶縁層３５ｂ３と、ビア導体３３ｑ付きの絶縁層３５ｂ４とは、コイル導体３２ｄ及びビア導体３３ｄ付きの絶縁層３１ｄと重なるように積層されている。これにより、ビア導体３３ｑ同士がつながって第２の連結導体４２を構成し、第２の連結導体４２が第２の端面１２に露出する。その結果、第２の外部電極２２（第４の電極部分２２ａ）とコイル３０（コイル導体３２ｄ）とが、第２の連結導体４２を介して互いに接続される。
【００８４】
第２の連結導体４２は、コイル導体３２ｄにおける第１の主面１３に最も近い部分に接続されていることが好ましい。これにより、第２の外部電極２２の第４の電極部分２２ａの面積を充分小さくできる。その結果、コイル３０と第２の外部電極２２（第４の電極部分２２ａ）との間の浮遊容量が充分小さくなるため、積層型コイル部品１の高周波特性がより向上する。
【００８５】
第２の連結導体４２は、上述したように、第２の外部電極２２（第４の電極部分２２ａ）とコイル３０との間を直線状に接続することが好ましい。第２の連結導体４２が第２の外部電極２２とコイル３０との間を直線状に接続するとは、積層方向から平面視したとき、第２の連結導体４２を構成するビア導体３３ｑ同士が重なっていることを意味し、ビア導体３３ｑ同士は厳密に直線状に並んでいなくてもよい。
【００８６】
なお、第１の連結導体４１を構成するビア導体３３ｐと第２の連結導体４２を構成するビア導体３３ｑとの各々にランド部が接続されている場合、第１の連結導体４１及び第２の連結導体４２の形状は、ランド部を除いた形状を意味する。
【００８７】
図８及び図９では、コイル３０の３ターンを構成するためのコイル導体の積層数が４である場合を例示したが、別のパターンとして、コイル３０の１ターンを構成するためのコイル導体の積層数は２であってもよい。図１０は、図１中の積層型コイル部品を構成する積層体の別の一例を示す分解斜視模式図である。図１１は、図１中の積層型コイル部品を構成する積層体の別の一例を示す分解平面模式図である。
【００８８】
図１０及び図１１に示すように、積層体１０は、図７中の絶縁層３１として、絶縁層３１ｅと、絶縁層３１ｆと、絶縁層３１ｇと、絶縁層３１ｈと、を有している。積層体１０は、図７中の絶縁層３５ａとして、絶縁層３５ａ１と、絶縁層３５ａ２と、絶縁層３５ａ３と、絶縁層３５ａ４と、を有している。積層体１０は、図７中の絶縁層３５ｂとして、絶縁層３５ｂ１と、絶縁層３５ｂ２と、絶縁層３５ｂ３と、絶縁層３５ｂ４と、を有している。
【００８９】
コイル３０は、図７中のコイル導体３２として、コイル導体３２ｅと、コイル導体３２ｆと、コイル導体３２ｇと、コイル導体３２ｈと、を有している。
【００９０】
コイル導体３２ｅ、コイル導体３２ｆ、コイル導体３２ｇ、及び、コイル導体３２ｈは、各々、絶縁層３１ｅ、絶縁層３１ｆ、絶縁層３１ｇ、及び、絶縁層３１ｈの主面上に配置されている。
【００９１】
図１０及び図１１に示すようなパターンにおいて、コイル３０の１ターンを構成するためのコイル導体の積層数は２である。積層体１０においては、コイル導体３２ｆ及びコイル導体３２ｇが１つの単位（１ターン分）として繰り返し積層されている。
【００９２】
コイル導体３２ｅは、ライン部３６ｅと、ライン部３６ｅの端部に配置されるランド部３７ｅと、を有している。コイル導体３２ｆは、ライン部３６ｆと、ライン部３６ｆの端部に配置されるランド部３７ｆと、を有している。コイル導体３２ｇは、ライン部３６ｇと、ライン部３６ｇの端部に配置されるランド部３７ｇと、を有している。コイル導体３２ｈは、ライン部３６ｈと、ライン部３６ｈの端部に配置されるランド部３７ｈと、を有している。
【００９３】
絶縁層３１ｅ、絶縁層３１ｆ、絶縁層３１ｇ、及び、絶縁層３１ｈには、各々、ビア導体３３ｅ、ビア導体３３ｆ、ビア導体３３ｇ、及び、ビア導体３３ｈが積層方向に貫通するように配置されている。
【００９４】
コイル導体３２ｆ及びビア導体３３ｆ付きの絶縁層３１ｆと、コイル導体３２ｇ及びビア導体３３ｇ付きの絶縁層３１ｇとは、１つの単位（図１０及び図１１中の点線で囲まれた部分）として繰り返し積層されている。これにより、コイル導体３２ｆのランド部３７ｆと、コイル導体３２ｇのランド部３７ｇとは、ビア導体３３ｆ及びビア導体３３ｇを介して接続される。
【００９５】
上述したように、コイル導体３２ｆ及びコイル導体３２ｇは２つ合わせてコイル３０の１ターンを構成するようになっており、積層方向において、各々のライン部３６ｆ及びライン部３６ｇは絶縁層を介して対向していない。よって、図８及び図９に示すようなパターン（３／４ターン形状）と比較して、浮遊容量の発生に関与するコイル導体間の距離（積層方向に対向するライン部間の距離：図１０及び図１１では、積層方向に対向するライン部３６ｆ間の距離、及び、積層方向に対向するライン部３６ｇ間の距離）が大きくなるため、浮遊容量が小さくなり、積層型コイル部品１の高周波特性が向上する。
【００９６】
コイル導体３２ｅ及びビア導体３３ｅ付きの絶縁層３１ｅと、コイル導体３２ｆ及びビア導体３３ｆ付きの絶縁層３１ｆとは、積層されている。これにより、コイル導体３２ｅのランド部３７ｅと、コイル導体３２ｆのランド部３７ｆとは、ビア導体３３ｅを介して接続される。
【００９７】
コイル導体３２ｇ及びビア導体３３ｇ付きの絶縁層３１ｇと、コイル導体３２ｈ及びビア導体３３ｈ付きの絶縁層３１ｈとは、積層されている。これにより、コイル導体３２ｇのランド部３７ｇと、コイル導体３２ｈのランド部３７ｈとは、ビア導体３３ｇを介して接続される。
【００９８】
以上により、積層体１０に内蔵されるソレノイド状のコイル３０が構成される。
【００９９】
積層方向から平面視したとき、コイル導体３２ｅ、コイル導体３２ｆ、コイル導体３２ｇ、及び、コイル導体３２ｈで構成されるコイル３０は、円形状であってもよいし、多角形状であってもよい。
【０１００】
積層方向から平面視したとき、ランド部３７ｅ、ランド部３７ｆ、ランド部３７ｇ、及び、ランド部３７ｈの径は、各々、図１１に示すように、ライン部３６ｅ、ライン部３６ｆ、ライン部３６ｇ、及び、ライン部３６ｈの線幅よりも大きいことが好ましい。
【０１０１】
積層方向から平面視したとき、ランド部３７ｅ、ランド部３７ｆ、ランド部３７ｇ、及び、ランド部３７ｈは、各々、図１１に示すような円形状であってもよいし、多角形状であってもよい。
【０１０２】
ビア導体３３ｐ付きの絶縁層３５ａ１と、ビア導体３３ｐ付きの絶縁層３５ａ２と、ビア導体３３ｐ付きの絶縁層３５ａ３と、ビア導体３３ｐ付きの絶縁層３５ａ４とは、コイル導体３２ｅ及びビア導体３３ｅ付きの絶縁層３１ｅと重なるように積層されている。これにより、ビア導体３３ｐ同士がつながって第１の連結導体４１を構成し、第１の連結導体４１が第１の端面１１に露出する。その結果、第１の外部電極２１（第１の電極部分２１ａ）とコイル３０（コイル導体３２ｅ）とが、第１の連結導体４１を介して互いに接続される。
【０１０３】
ビア導体３３ｑ付きの絶縁層３５ｂ１と、ビア導体３３ｑ付きの絶縁層３５ｂ２と、ビア導体３３ｑ付きの絶縁層３５ｂ３と、ビア導体３３ｑ付きの絶縁層３５ｂ４とは、コイル導体３２ｈ及びビア導体３３ｈ付きの絶縁層３１ｈと重なるように積層されている。これにより、ビア導体３３ｑ同士がつながって第２の連結導体４２を構成し、第２の連結導体４２が第２の端面１２に露出する。その結果、第２の外部電極２２（第４の電極部分２２ａ）とコイル３０（コイル導体３２ｈ）とが、第２の連結導体４２を介して互いに接続される。
【０１０４】
積層型コイル部品１において、第１の外部電極２１から第２の外部電極２２に通電すると、図７に示すような電界Ｆが、第２の電極部分２１ｂと第５の電極部分２２ｂとの間で、積層体１０の第１の主面１３側の領域に生じる。このような電界Ｆを横切るようにコイル導体のランド部（面積が比較的大きい部分）が位置していると、浮遊容量が大きくなり、積層型コイル部品１の高周波特性が低下することがある。
【０１０５】
これに対して、図１０及び図１１を考慮すると、幅方向から平面視したとき、ビア導体を介して互いに接続されるコイル導体のランド部は、積層体１０において、第１の主面１３とは反対側の上半分の領域に存在している。より具体的には、幅方向から平面視したとき、ビア導体３３ｅを介して互いに接続されるランド部３７ｅ及びランド部３７ｆと、ビア導体３３ｆを介して互いに接続されるランド部３７ｆ及びランド部３７ｇと、ビア導体３３ｇを介して互いに接続されるランド部３７ｇ及びランド部３７ｆと、ビア導体３３ｇを介して互いに接続されるランド部３７ｇ及びランド部３７ｈとは、積層体１０において、第１の主面１３とは反対側の上半分の領域に存在している。これにより、各ランド部が電界Ｆを横切るように位置していないため、浮遊容量が充分小さくなり、積層型コイル部品１の高周波特性がより向上する。
【０１０６】
ここで、積層体１０の第１の主面１３となる部分は、図１１に示すように、絶縁層３１ｆ及び絶縁層３１ｇにおいて、各々、辺３８ｆ及び辺３８ｇで示されている。辺３８ｆ及び辺３８ｇと反対側の辺３９ｆ及び辺３９ｇは、積層体１０の第２の主面１４となる部分である。積層体１０において、第１の主面１３とは反対側の上半分の領域とは、第１の主面１３となる辺３８ｆ及び辺３８ｇと第２の主面１４となる辺３９ｆ及び辺３９ｇとの中間（高さ方向における中間）に位置する中線Ｍを基準として、辺３９ｆ及び辺３９ｇ側の領域を意味する。
【０１０７】
なお、第１の連結導体４１を構成するビア導体３３ｐと接続されるランド部３７ｅと、第２の連結導体４２を構成するビア導体３３ｑと接続されるランド部３７ｈと、のようなコイル導体間の接続に関与しない（第１の連結導体４１及び第２の連結導体４２との接続に関与する）ランド部は、積層体１０において、第１の主面１３とは反対側の上半分の領域に存在していなくてもよい。
【０１０８】
コイル導体３２ａ、コイル導体３２ｂ、コイル導体３２ｃ、コイル導体３２ｄ、コイル導体３２ｅ、コイル導体３２ｆ、コイル導体３２ｇ、及び、コイル導体３２ｈの各コイル導体と、第１の連結導体４１及び第２の連結導体４２の各連結導体とについて、好ましい寸法を以下に説明する。
【０１０９】
積層方向から平面視したとき、各コイル導体の内径（コイル径）は、好ましくは、積層体１０の幅寸法Ｗ１の１５％以上、４０％以下である。
【０１１０】
積層方向から平面視したとき、各コイル導体において、ライン部の線幅は、好ましくは、積層体１０の幅寸法Ｗ１の１０％以上、３０％以下である。ライン部の線幅が積層体１０の幅寸法Ｗ１の１０％よりも小さい場合、コイル３０の直流抵抗が大きくなることがある。ライン部の線幅が積層体１０の幅寸法Ｗ１の３０％よりも大きい場合、コイル３０の静電容量が大きくなるため、積層型コイル部品１の高周波特性が低下することがある。
【０１１１】
各連結導体の長さ寸法（長さ方向における寸法）は、好ましくは、積層体１０の長さ寸法Ｌ１の、好ましくは２．５％以上、７．５％以下であり、より好ましくは２．５％以上、５．０％以下である。これにより、各連結導体のインダクタンスが小さくなるため、積層型コイル部品１の高周波特性が向上する。
【０１１２】
各連結導体の幅寸法（幅方向における寸法）は、好ましくは、積層体１０の幅寸法Ｗ１の８％以上、２０％以下である。
【０１１３】
各コイル導体及び各連結導体の好ましい寸法の具体例について、積層型コイル部品１のサイズが、０６０３サイズ、０４０２サイズ、又は、１００５サイズである場合に分けて以下に説明する。
【０１１４】
（１）積層型コイル部品１が０６０３サイズである場合
・積層方向から平面視したとき、各コイル導体の内径（コイル径）は、好ましくは、５０μｍ以上、１００μｍ以下である。
・積層方向から平面視したとき、各コイル導体において、ライン部の線幅は、好ましくは３０μｍ以上、９０μｍ以下であり、より好ましくは３０μｍ以上、７０μｍ以下である。
・各連結導体の長さ寸法は、好ましくは１５μｍ以上、４５μｍ以下であり、より好ましくは１５μｍ以上、３０μｍ以下である。
・各連結導体の幅寸法は、好ましくは、３０μｍ以上、６０μｍ以下である。
【０１１５】
（２）積層型コイル部品１が０４０２サイズである場合
・積層方向から平面視したとき、各コイル導体の内径（コイル径）は、好ましくは、３０μｍ以上、７０μｍ以下である。
・積層方向から平面視したとき、各コイル導体において、ライン部の線幅は、好ましくは２０μｍ以上、６０μｍ以下であり、より好ましくは２０μｍ以上、５０μｍ以下である。
・各連結導体の長さ寸法は、好ましくは１０μｍ以上、３０μｍ以下であり、より好ましくは１０μｍ以上、２５μｍ以下である。
・各連結導体の幅寸法は、好ましくは、２０μｍ以上、４０μｍ以下である。
【０１１６】
（３）積層型コイル部品１が１００５サイズである場合
・積層方向から平面視したとき、各コイル導体の内径（コイル径）は、好ましくは、８０μｍ以上、１７０μｍ以下である。
・積層方向から平面視したとき、各コイル導体において、ライン部の線幅は、好ましくは５０μｍ以上、１５０μｍ以下であり、より好ましくは５０μｍ以上、１２０μｍ以下である。
・各連結導体の長さ寸法は、好ましくは２５μｍ以上、７５μｍ以下であり、より好ましくは２５μｍ以上、５０μｍ以下である。
・各連結導体の幅寸法は、好ましくは、４０μｍ以上、１００μｍ以下である。
【０１１７】
［積層型コイル部品の製造方法］
本発明の積層型コイル部品の製造方法の一例について、以下に説明する。
【０１１８】
最初に、後に絶縁層となるセラミックグリーンシートを作製する。例えば、まず、フェライト材料に、ポリビニルブチラール系樹脂等の有機バインダと、エタノール、トルエン等の有機溶剤と、分散剤と、等を加えて混練し、スラリー状にする。その後、ドクターブレード法等の方法によって、厚みが１２μｍ程度のセラミックグリーンシートを作製する。
【０１１９】
フェライト材料としては、例えば、下記の方法で作製されるものが挙げられる。まず、鉄、ニッケル、亜鉛、及び、銅の酸化物原料を混合し、８００℃で１時間仮焼成する。その後、得られた仮焼成物をボールミルによって粉砕し、乾燥させることによって、平均粒径が約２μｍのＮｉ−Ｚｎ−Ｃｕ系のフェライト材料（酸化物混合粉末）を作製する。
【０１２０】
フェライト材料を用いてセラミックグリーンシートを作製する場合、高いインダクタンスを得るためには、フェライト材料の組成が、Ｆｅ２Ｏ３：４０ｍоｌ％以上、４９．５ｍоｌ％以下、ＺｎＯ：５ｍоｌ％以上、３５ｍоｌ％以下、ＣｕＯ：４ｍоｌ％以上、１２ｍоｌ％以下、残部：ＮｉＯ及び微量添加剤（不可避不純物を含む）、であることが好ましい。
【０１２１】
セラミックグリーンシートの材料としては、上述したフェライト材料等の磁性材料以外に、例えば、ガラスセラミック材料等の非磁性材料、磁性材料及び非磁性材料の混合材料、等を用いてもよい。
【０１２２】
次に、セラミックグリーンシートに、後にコイル導体及びビア導体となる導体パターンを形成する。例えば、まず、セラミックグリーンシートにレーザー加工を施すことによって、直径２０μｍ以上、３０μｍ以下程度のビアホールを形成する。そして、銀ペースト等の導電性ペーストをビアホールに充填し、ビア導体用導体パターンを形成する。更に、セラミックグリーンシートの主面上に、銀ペースト等の導電性ペーストを用いて、スクリーン印刷等の方法によって、厚みが１１μｍ程度のコイル導体用導体パターンを印刷する。コイル導体用導体パターンとしては、例えば、図８及び図９に示すようなコイル導体に相当する導体パターン、図１０及び図１１に示すようなコイル導体に相当する導体パターン、等を印刷する。
【０１２３】
その後、乾燥させることによって、セラミックグリーンシートにコイル導体用導体パターン及びビア導体用導体パターンが形成された構成を有するコイルシートが得られる。コイルシートにおいては、コイル導体用導体パターン及びビア導体用導体パターンが互いに接続されている。
【０１２４】
また、コイルシートとは別に、セラミックグリーンシートにビア導体用導体パターンが形成された構成を有するビアシートを作製する。ビアシートのビア導体用導体パターンは、後に連結導体を構成するビア導体となる導体パターンである。
【０１２５】
次に、個片化及び焼成後に実装面と平行なコイル軸を有するコイルが積層体の内部に形成されるように、コイルシートを所定の順序で積層させる。更に、コイルシートの積層体の上下にビアシートを積層させる。
【０１２６】
次に、コイルシート及びビアシートの積層体を熱圧着して圧着体を得た後、所定のチップサイズとなるように切断することによって、個片化したチップを得る。個片化したチップに対しては、例えば、バレル研磨を施すことによって、角部及び稜線に丸みを付けてもよい。
【０１２７】
次に、個片化したチップに対して、所定の温度及び時間で脱バインダ及び焼成を施すことによって、内部にコイルを内蔵する積層体（焼成体）を形成する。この際、コイル導体用導体パターン及びビア導体用導体パターンは、各々、焼成後にコイル導体及びビア導体となる。コイルは、コイル導体同士がビア導体を介して接続されてなる。また、積層体の積層方向とコイルのコイル軸方向とは、実装面と平行になる。
【０１２８】
次に、銀ペースト等の導電性ペーストを所定の厚みに引き伸ばした層に、積層体を斜めに浸漬して焼き付けることによって、積層体の４面（主面、端面、及び、両側面）に外部電極の下地電極層を形成する。このような方法では、積層体の主面及び端面の２回に分けて下地電極層を形成する場合と比較して、下地電極層を１回で形成できる。
【０１２９】
次に、下地電極層に対して、めっきによって、所定の厚みのニッケル被膜及びスズ被膜を順次形成する。その結果、外部電極が形成される。
【０１３０】
ここで、外部電極を形成する際には、得られる外部電極の形状が幅方向から平面視したときに図４及び図５に示すような凹状となるように、例えば、積層体の両側面の所定の位置にマスクを施した状態で、下地電極層、ニッケル被膜、及び、スズ被膜を順次形成する。
【０１３１】
以上により、本発明の積層型コイル部品が製造される。
【符号の説明】
【０１３２】
１  積層型コイル部品
１０  積層体
１１  第１の端面
１２  第２の端面
１３  第１の主面
１４  第２の主面
１５  第１の側面
１６  第２の側面
２１  第１の外部電極
２１ａ  第１の電極部分
２１ｂ  第２の電極部分
２１ｃ  第３の電極部分
２２  第２の外部電極
２２ａ  第４の電極部分
２２ｂ  第５の電極部分
２２ｃ  第６の電極部分
３０  コイル
３１、３１ａ、３１ｂ、３１ｃ、３１ｄ、３１ｅ、３１ｆ、３１ｇ、３１ｈ、３５ａ、３５ａ１、３５ａ２、３５ａ３、３５ａ４、３５ｂ、３５ｂ１、３５ｂ２、３５ｂ３、３５ｂ４  絶縁層
３２、３２ａ、３２ｂ、３２ｃ、３２ｄ、３２ｅ、３２ｆ、３２ｇ、３２ｈ  コイル導体
３３ａ、３３ｂ、３３ｃ、３３ｄ、３３ｅ、３３ｆ、３３ｇ、３３ｈ、３３ｐ、３３ｑ  ビア導体
３６ａ、３６ｂ、３６ｃ、３６ｄ、３６ｅ、３６ｆ、３６ｇ、３６ｈ  ライン部
３７ａ、３７ｂ、３７ｃ、３７ｄ、３７ｅ、３７ｆ、３７ｇ、３７ｈ  ランド部
３８ｆ、３８ｇ、３９ｆ、３９ｇ  辺
４１  第１の連結導体
４２  第２の連結導体
５１  第１の稜線
５２  第２の稜線
５３  第３の稜線
５４  第４の稜線
Ａ  コイル軸
Ｄ  積層方向に隣り合うコイル導体間の距離
Ｅ１  第２の電極部分の長さ寸法
Ｅ２  第１の電極部分の高さ寸法
Ｅ３  第３の電極部分の第２の稜線上の寸法
Ｅ４  第５の電極部分の長さ寸法
Ｅ５  第４の電極部分の高さ寸法
Ｅ６  第６の電極部分の第４の稜線上の寸法
Ｆ  電界
Ｌ１  積層体の長さ寸法
Ｌ２  積層型コイル部品の長さ寸法
Ｌ３  積層方向におけるコイル導体の配置領域の寸法
Ｍ  中線
Ｐ１、Ｐ２  頂点
Ｑ１  第１の端点
Ｒ１  第２の端点
Ｑ２  第３の端点
Ｒ２  第４の端点
Ｔ１  積層体の高さ寸法
Ｔ２  積層型コイル部品の高さ寸法
Ｗ１  積層体の幅寸法
Ｗ２  積層型コイル部品の幅寸法
【図１】
2020194804.tif 000003
【図２】
2020194804.tif 000004
【図３】
2020194804.tif 000005
【図４】
2020194804.tif 000006
【図５】
2020194804.tif 000007
【図６】
2020194804.tif 000008
【図７】
2020194804.tif 000009
【図８】
2020194804.tif 000010
【図９】
2020194804.tif 000011
【図１０】
2020194804.tif 000012
【図１１】
2020194804.tif 000013